(57)【要約】【課題】従来一般的に普及しているインターネットに接続可能な携帯電話をポイント会員カードの代わりに用いることで、１台の携帯電話で、複数店舗のポイント会員となり、店舗識別番号を保持した携帯電話のインターネットへ自動的に接続可能な機器を用いて、ポイント付与及び使用を行うことは勿論のこと、ポイント会員へメール配信を行うことができることを特徴とする、ポイント管理システム及び方法を提供する。【効果】インターネットに接続可能な携帯電話にて、店舗のメールアドレスへ携帯電話番号を記載したメールを送信することで携帯電話番号を会員識別番号とするポイント会員となり、店舗識別番号を保持した携帯電話のインターネットへ自動的に接続可能な機器と前記携帯電話の充電ケーブル接続ポートを接続し、インターネット網を介してポイント管理コンピュータに接続し、携帯電話番号と店舗識別番号を送信することにより、会員と店舗の認証を行い、ポイント付与及び使用を行うことできるようにした。【選択図】  図１
2004356676.tif 000002
【特許請求の範囲】
【請求項１】
インターネットに接続可能な携帯電話の充電ケーブル接続ポートに店舗識別番号を保持したインターネットへ自動的に接続可能な機器を接続し、インターネット網を通じてポイント管理コンピュータに携帯電話番号と店舗識別番号を送信することにより、ポイント付与及び使用を行うこと、を特徴とするポイント管理システム。
【請求項２】
前記携帯電話にて携帯電話番号をメール本文に記載したメールを店舗のメールアドレスへ送信することにより店舗のポイント会員になること、を特徴とする請求項１記載のポイント管理システム。
【請求項３】
前記携帯電話番号を会員識別番号として利用すること、を特徴とする請求項１〜２記載のポイント管理システム。
【請求項４】
前記ポイント会員は、１台の前記携帯電話で、複数の店舗のポイント会員になること、を特徴とする請求項１〜２記載のポイント管理システム。
【請求項５】
前記ポイント会員が保持するポイント数を、同一店舗内の他ポイント会員へポイント数をプレゼントすることが可能とすること、を特徴とする請求項１〜２記載のポイント管理システム。
【請求項６】
前記メール作成・送信を自動的に行う自動メール作成・送信機器を用いることを特徴とする請求項１〜２記載のポイント管理システム。
【請求項７】
前記ポイント会員を獲得した店舗の店員のインターネットに接続可能な携帯電話の充電ケーブル接続ポートに店舗識別番号を保持したインターネットへ自動的に接続可能な機器を接続し、メールを作成・送信することにより、会員へメールを送信することが可能なこと、を特徴とする請求項１〜２記載のポイント管理システム。
【請求項８】
前記ポイント管理コンピュータは、複数店舗の会員認証及びポイントの管理、店舗認証、店舗管理を行うこと、を特徴とする請求項１〜２記載のポイント管理システム。
【発明の詳細な説明】
【０００１】
【発明の属する技術分野】
本発明は、インターネットに接続可能な携帯電話にて、店舗メールアドレスに携帯電話番号を記載したメールを送信しポイント会員となり、ポイント付与・使用を可能とするようにしたポイント管理システム及び方法に関する。
【０００２】
【従来の技術】
従来、店舗にてポイントサービスを行うために、紙カードを用いたシールまたはハンコによるポイントや、各種カード（磁気カード、ＩＣ型カード）を用いたポイント管理システムを利用して、ポイントサービスを実施する形態で運営をしている。
【０００３】
しかしながら、店舗では、紙カードによるポイント管理での、カード発行、ポイント付与・使用情報等流動的な会員およびポイント情報の管理が複雑で事務作業に時間を費やす必要があることや、各種カード（磁気カード、ＩＣ型カード）を用いたポイント管理システムでの、カードの読取装置等の高額なシステム導入費用やランニングコストがかかるデメリットがある。
【０００４】
また、ポイント会員では、店舗ごとの複数の会員カードを持つ必要があり、持ち運びや管理に不便等のデメリットがある。
【発明が解決しようとする課題】
【０００５】
本発明では、このような問題を解決し、従来一般的に普及しているインターネットに接続可能な携帯電話をポイント会員カードの代わりに用いることで、１台の携帯電話で複数店舗のポイント会員となり、店舗識別番号を保持した携帯電話のインターネットへ自動的に接続可能な機器を用いて、ポイント付与及び使用を行うことは勿論のこと、ポイント会員へメール配信を行うことができることを特徴とする、ポイント管理システム及び方法を提供することを目的とするものである。
【０００６】
【課題を解決するための手段】
上記課題を解決するために、本発明のポイント管理システムは、インターネットに接続可能な携帯電話にて、店舗のメールアドレスへ携帯電話番号を記載したメールを送信することで携帯電話番号を会員識別番号とするポイント会員となり、店舗識別番号を保持した携帯電話のインターネットへ自動的に接続可能な機器と携帯電話の充電ケーブル接続ポートを接続し、インターネット網を通じてポイント管理コンピュータに接続し、携帯電話番号と店舗識別番号を送信することにより、会員と店舗の認証を行い、ポイント付与及び使用を行うことできるようにしたことを特徴とする。
【０００７】
すなわち、ポイント会員を希望する店舗のメールアドレスに携帯電話番号を記載したメールを送信し、携帯電話番号を会員識別番号とする店舗のポイント会員となる。
【０００８】
つぎに、店舗識別番号を保持した携帯電話のインターネットへ自動的に接続可能な機器と前記携帯電話の充電ケーブル接続ポートを接続することで、インターネット網を通じてポイント管理コンピュータに接続し、携帯電話番号と店舗識別番号を送信することにより会員と店舗の認証を行い、ポイント付与及び使用を行うことができるものである。
【０００９】
別の店舗でも同様な手続きを行えば、１台の携帯電話で複数のポイント会員となることが可能である。
【００１０】
また、同一店舗内であれば、他ポイント会員の電話番号を入力するのみで、他ポイント会員へポイントのプレゼントが可能である。
【００１１】
ポイントのプレゼントは、ポイント付与・使用のときと同様な処理である、前記自動インターネット接続機器とポイント会員の携帯電話の充電ケーブル接続ポートを接続することで、インターネット網を通じてポイント管理コンピュータに接続し、携帯電話番号と店舗識別番号を送信することにより会員と店舗の認証を行い、プレゼント相手である他ポイント会員の携帯電話番号とプレゼントポイント数を入力することで可能となる。
【００１２】
前記メールの作成は、店舗メールアドレスを保持した自動的にメールを作成・送信可能な自動メール作成・送信機器を用いることが好適である。
【００１３】
前記ポイント管理コンピュータでは、前記自動インターネット接続機器と前記携帯電話より送信される店舗識別番号と携帯電話番号にて、店舗及び会員の認証を行うことが好ましい。
【００１４】
また、前記ポイント管理コンピュータでは、店舗のメールアドレスを管理することが好適である。
【００１５】
前記ポイント会員の店舗では、会員登録時点でポイント会員のメールアドレスを取得しているため、販促等のメール配信として、店員のインターネット接続可能な携帯電話と前記自動インターネット接続機器を用いて、店舗認証を行い、ポイント会員へメール送信を行うことが好適である。
【００１６】
【発明の実施の形態】
以下、本発明の実施形態を添付図面に基づいて説明するが、この図示例は例示的に示されるものであり、本発明の技術思想から逸脱しない限り、種々の変更が可能なことはいうまでもない。
【００１７】
図１は、ポイント管理システムの基本的構成を示すブロック図である。
【００１８】
図１において、インターネットに接続可能な携帯電話１１よりインターネット網１３を通じてポイントセンター１０に設置してあるポイント管理コンピュータ１２に接続する形態を示している。ポイント管理コンピュータ１２には、会員および店舗の認証を行う認証サーバ１２１、店舗からメール送信や会員への通知等のメール送信を行うメールサーバ１２２、ポイント付与・使用等にポイント入力やポイント照会等の画面を表示するＷＥＢサーバ１２３、会員マスタ１２５および店舗マスタ１２６、ポイントマスタ１２７のデータを管理するデータ管理サーバ１２４の４つのサーバから構成されている。
【００１９】
図２（ａ）は、携帯電話１１の充電ケーブル接続ポート２１に、店舗識別番号を保持した自動インターネット接続機器２２を接続する形態を示した図である。
【００２０】
図２（ａ）において、携帯電話１１の充電ケーブル接続ポート２１に、店舗識別番号を保持した自動インターネット接続機器２２を接続することで、ポイント管理コンピュータ１２に接続し、接続時に店舗識別番号と携帯電話番号を送信する。
【００２１】
図２（ｂ）は、携帯電話１１の充電ケーブル接続ポート２１に、自動メール作成・送信機器２３を接続する形態を示した図である。
【００２２】
図２（ｂ）において、自動メール作成・送信機器２３には、事前に送信先である店舗メールアドレスが登録されているものであり、携帯電話１１の充電ケーブル接続ポート２１に接続することで携帯電話番号を抽出し、メール本文に書き込んだメールを作成し、店舗メールアドレスへ送信する。なお、送信したメールは、ポイント管理コンピュータ１２のメールサーバ１２２で受信する。
【００２３】
図３は、ポイントの会員登録を行うときの処理の流れを示すフロー図である。会員を希望する利用者は、図２（ｂ）に示すように携帯電話１１と自動メール作成・送信機器２３の接続（Ｓ２１ｂ）を行う。なお、メール自動作成・送信機器２３には事前に会員を希望する店舗のメールアドレスが登録されている。
【００２４】
前記接続後、自動的に携帯電話番号が記載したメール本文を作成し、店舗メールアドレスへの送信（Ｓ２２ｂ）を行う。
【００２５】
なお、会員登録は図２（ｂ）に示すようなメール自動作成・送信機器を使用せず、手入力にてメール作成・送信を行っても、会員登録は可能である。
【００２６】
前記送信したメールは、ポイント管理コンピュータ１２のメールサーバ１２２にて受信（Ｓ１２０）し、会員登録処理（Ｓ１２１）の後、会員登録完了通知メールの送信（Ｓ１２２）を行う。携帯電話１１にて登録完了通知メールの受信（Ｓ１１０）にて、会員登録は完了となる。
【００２７】
図４は、ポイント会員にポイント付与または、使用を行うときの処理の流れを示すフロー図である。
【００２８】
図２（ａ）のように携帯電話１１と自動インターネット接続機器２２の接続（Ｓ２１ａ）を行う。接続後、インターネット網１３を通じてポイント管理コンピュータ１２へ接続（Ｓ１２３）し、接続時に送信する店舗識別番号と携帯電話番号にて店舗及び会員の認証（Ｓ１２４）を行う。認証後、携帯電話にポイント付与（または使用）画面の表示（Ｓ１１１）にて、付与（または使用）ポイント数の入力（Ｓ１１２）を行い、ポイント付与（または使用）数の反映（Ｓ１１３）が行われる。
【００２９】
図５は、同一店舗内の他ポイント会員へポイント数をプレゼントするときの処理の流れを示すフロー図である。
【００３０】
ポイント数を保持するポイント会員は、図２（ａ）のように携帯電話１１とインターネット自動接続機器２２の接続（Ｓ２１ａ）を行う。接続後、インターネット網１３を通じてポイント管理コンピュータ１２へ接続（Ｓ１２３）し、会員及び店舗の認証（Ｓ１２４）を行う。認証後、携帯電話にポイントプレゼント画面の表示（Ｓ１１３）を行い、プレゼント相手であるポイント会員の携帯電話番号とプレゼントするポイント数の入力（Ｓ１１４）を行う。入力後、プレゼント相手の会員認証とプレゼントポイント数の認証（Ｓ１２６）を行い、認証完了後、それぞれの会員へポイント数の反映（Ｓ１２７）が行われる。
【００３１】
前記プレゼント相手の会員認証とは、プレゼント相手が同一店舗の会員であるかどうかの認証である。
【００３２】
前記ポイント数の認証とは、ポイント会員がプレゼントするポイント数分のポイント数を保持しているかどうかの認証である。
【００３３】
図６は、店舗がポイント会員へ販促等のメールを送信するときの処理の流れを示すフロー図である。
【００３４】
図６において、図２（ａ）のように携帯電話１１とインターネット自動接続機器２２の接続（Ｓ２１ａ）を行う。接続後、インターネット網１３を通じてポイント管理コンピュータ１２へ接続（Ｓ１２３）し、店舗の認証（Ｓ１２８）を行う。認証後、携帯電話にメール作成画面の表示（Ｓ１１５）を行い、メール作成・送信（Ｓ１１６）し、ポイント会員がメールの受信（Ｓ１１７）を行う。
【００３５】
上述した本発明の実施の形態では、１店舗でのポイント管理システム及び方法である場合を例にとって説明したが、１台の携帯電話１１で同様な処理を行うことによって、複数の店舗のポイント会員となることが可能であることは勿論であり、１台の携帯電話１１でのポイント会員となる店舗数の上限はない。
【発明の効果】
以上述べた如く、本発明のポイント管理システム及び方法によれば、簡便な方法でポイント会員となるだけではなく、１台の携帯電話で複数店舗のポイント会員となることができることは勿論のこと、店舗の管理負担及び初期費用を軽減され、利用者及び店舗の双方にメリットがあるポイント管理システム及び方法を提供することができるという大きな効果を奏する。
【図面の簡単な説明】
【図１】ポイント管理システムの基本的構成を示すブロック図である。
【図２】（ａ）携帯電話の充電ケーブル接続ポートと店舗識別番号を保持した自動インターネット接続機器を接続する形態を示した図である。
（ｂ）携帯電話の充電ケーブル接続ポートと自動メール作成・送信機器を接続する形態を示した図である。
【図３】ポイント会員にポイント付与またはポイント使用を行うときの処理の流れを示すフロー図である。
【図４】ポイント会員にポイント付与または、使用を行うときの処理の流れを示すフロー図である。
【図５】同一店舗内の他ポイント会員へポイント数をプレゼントするときの処理の流れを示すフロー図である。
【図６】店舗がポイント会員へ販促等のメールを送信するときの処理の流れを示すフロー図である。
【符号の説明】
１０、ポイントセンター、１１：携帯電話、１２：ポイント管理コンピュータ、１３：インターネット網、１２１：認証サーバ、１２２：メールサーバ、１２３：ＷＥＢサーバ、１２４：データ管理サーバ、１２５：会員マスタ、１２６：店舗マスタ、１２７：ポイントマスタ
【図１】
2004356676.tif 000003
【図２】
2004356676.tif 000004
【図３】
2004356676.tif 000005
【図４】
2004356676.tif 000006
【図５】
2004356676.tif 000007
【図６】
2004356676.tif 000008